(57)【特許請求の範囲】
【請求項１】
データ放送から受信される位置情報を含む情報をフィルタリングし必要な情報だけを抽出して表示する受信装置であって、
自己が存在する位置を表す自己位置の情報及びその進行方向である方位情報を取得する位置方位情報取得手段と、
前記自己位置からその進行方向上に単一の目標位置を設定し、前記自己位置と前記目標位置とを焦点とする楕円を抽出範囲として設定する抽出範囲設定手段と、
前記データ放送から受信される情報に含まれる位置情報が前記抽出範囲内にあるとき、その受信情報を抽出する情報抽出手段とを
有することを特徴とする受信装置。
【請求項２】
データ放送から受信される位置情報を含む情報をフィルタリングし必要な情報だけを抽出して表示する受信装置であって、
自己が存在する位置を表す自己位置の情報及びその進行方向である方位情報を取得する位置方位情報取得手段と、
前記自己位置からその進行方向上に単一の目標位置を設定し、前記目標位置を中心として前記自己位置と目標位置間の距離以上の半径を持つ円を抽出範囲として設定する抽出範囲設定手段と、
前記データ放送から受信される情報に含まれる位置情報が前記抽出範囲内にあるとき、その受信情報を抽出する情報抽出手段とを
有することを特徴とする受信装置。
【請求項３】
データ放送から受信される位置情報を含む情報をフィルタリングし必要な情報だけを抽出して表示する受信装置であって、
自己が存在する位置を表す自己位置の情報及びその進行方向である方位情報を取得する位置方位情報取得手段と、
前記自己位置からその進行方向上に複数の目標位置を設定し、前記複数の目標位置それぞれを中心として前記自己位置とこれに隣接する目標位置間の距離以上の半径を持つ円を抽出範囲として設定する抽出範囲設定手段と、
前記データ放送から受信される情報に含まれる位置情報が前記抽出範囲内にあるとき、その受信情報を抽出する情報抽出手段とを
有することを特徴とする受信装置。
【請求項４】
データ放送から受信される位置情報を含む情報をフィルタリングし必要な情報だけを抽出して表示する受信装置であって、
自己が存在する位置を表す自己位置の情報及びその進行方向である方位情報を取得する位置方位情報取得手段と、
前記自己位置からその進行方向上に単一の目標位置を設定し、前記目標位置を中心として東西南北の４方向に前記自己位置と目標位置間の距離以上の等距離にある経線及び緯線で囲まれる範囲を抽出範囲として設定する抽出範囲設定手段と、
前記データ放送から受信される情報に含まれる位置情報が前記抽出範囲内にあるとき、その受信情報を抽出する情報抽出手段とを
有することを特徴とする受信装置。
【請求項５】
データ放送から受信される位置情報を含む情報をフィルタリングし必要な情報だけを抽出して表示する受信装置であって、
自己が存在する位置を表す自己位置の情報及びその進行方向である方位情報を取得する位置方位情報取得手段と、
前記自己位置からその進行方向上に複数の目標位置を設定し、前記複数の目標位置それぞれを中心として東西南北の４方向に前記自己位置とこれに隣接する目標位置間の距離以上の等距離にある経線及び緯線で囲まれる範囲を抽出範囲として設定する抽出範囲設定手段と、
前記データ放送から受信される情報に含まれる位置情報が前記抽出範囲内にあるとき、その受信情報を抽出する情報抽出手段とを
有することを特徴とする受信装置。
【発明の詳細な説明】
【０００１】
【発明の属する技術分野】
本発明は受信装置に関し、特に、データ放送サービスから受信した情報を効率的にフィルタリングする受信装置に関する。
【０００２】
【従来の技術】
衛星・地上デジタル放送において、例えば商店やレストラン等の緯度経度及びその概要と写真と地図等の情報のように、位置情報を含む情報がデータ放送として放送するサービスが考えられている。
【０００３】
図８は、データ放送サービスの一例の概念図を示す。同図中、放送衛星１０または地上基地１２から、商店やレストラン等の緯度経度及びその概要と写真と地図等の情報が放送されている。また、ＧＰＳ（Ｇｌｏｂａｌ  Ｐｏｓｉｔｉｏｎｉｎｇ  Ｓｙｓｔｅｍ）衛星１４からはＧＰＳデータが送信されている。
【０００４】
受信装置１６では、データ放送を受信すると共に、複数のＧＰＳ衛星からＧＰＳデータを受信して自己位置の緯度経度情報を取得する。受信装置１６はデータ放送で受信した情報のうち、自己位置の周辺の情報をフィルタリングして表示する。利用者は、この表示を見て、現在位置の周辺にどのような商店やレストラン等があるのかを知ることができる。
【０００５】
従来から、カーナビゲーション・システム等で、自己の位置情報からシステムの地図ディスクに収録されている情報から自己位置の周辺情報を取り出して表示することが行われている。また、カーナビゲーションと携帯電話を利用し、サーバー側で自己位置の周辺情報を検索するシステムが存在する。
【０００６】
【発明が解決しようとする課題】
図８に示すデータ放送サービスで、受信者が停止している場合は、受信情報に対し自己の位置を中心とした同心円状のフィルタリングを行えばよいが、受信者が移動中には、進行方向に対して前方の情報が必要とされ、後方の情報は不要な場合が多い。しかし、従来のカーナビゲーション・システム等では、進行方向に対して後方の情報を削除する等のフィルタリング処理は行っておらず、不要な情報が表示されるという問題が生じる。
【０００７】
また、実際にサービスとして、データ放送で受信した場合に、複雑なフィルタリング処理を行わなければならないと仮定すると、受信装置の負荷が大きくなるため、できるだけ受信装置に負荷をかけないフィルタリング処理を行う必要がある。
【０００８】
本発明は、上記の点に鑑みなされたもので、必要とされる情報だけを抽出して不要な情報を削除でき、かつ、処理の負荷が小さくて済む受信装置を提供することを目的とする。
【００１１】
【課題を解決するための手段】
請求項１に記載の発明は、データ放送から受信される位置情報を含む情報をフィルタリングし必要な情報だけを抽出して表示する受信装置であって、
自己が存在する位置を表す自己位置の情報及びその進行方向である方位情報を取得する位置方位情報取得手段と、
前記自己位置からその進行方向上に単一の目標位置を設定し、前記自己位置と前記目標位置とを焦点とする楕円を抽出範囲として設定する抽出範囲設定手段と、
前記データ放送から受信される情報に含まれる位置情報が前記抽出範囲内にあるとき、その受信情報を抽出する情報抽出手段とを有することにより、
進行方向の前方に対して必要とされる情報だけを抽出して進行方向の後方に対して不要な情報を削除できる。
【００１２】
請求項２に記載の発明は、データ放送から受信される位置情報を含む情報をフィルタリングし必要な情報だけを抽出して表示する受信装置であって、
自己が存在する位置を表す自己位置の情報及びその進行方向である方位情報を取得する位置方位情報取得手段と、
前記自己位置からその進行方向上に単一の目標位置を設定し、前記目標位置を中心として前記自己位置と目標位置間の距離以上の半径を持つ円を抽出範囲として設定する抽出範囲設定手段と、
前記データ放送から受信される情報に含まれる位置情報が前記抽出範囲内にあるとき、その受信情報を抽出する情報抽出手段とを有することにより、進行方向の前方に対して必要とされる情報だけを抽出して進行方向の後方に対して不要な情報を削除でき、処理の負荷を低減することができる。
【００１３】
請求項３に記載の発明は、データ放送から受信される位置情報を含む情報をフィルタリングし必要な情報だけを抽出して表示する受信装置であって、
自己が存在する位置を表す自己位置の情報及びその進行方向である方位情報を取得する位置方位情報取得手段と、
前記自己位置からその進行方向上に複数の目標位置を設定し、前記複数の目標位置それぞれを中心として前記自己位置とこれに隣接する目標位置間の距離以上の半径を持つ円を抽出範囲として設定する抽出範囲設定手段と、
前記データ放送から受信される情報に含まれる位置情報が前記抽出範囲内にあるとき、その受信情報を抽出する情報抽出手段とを有することにより、進行方向の前方に対して必要とされる情報だけを抽出して進行方向の後方に対して不要な情報を削除でき、処理の負荷を低減することができると共に、フィルタリングの精度を向上できる。
【００１４】
請求項４に記載の発明は、データ放送から受信される位置情報を含む情報をフィルタリングし必要な情報だけを抽出して表示する受信装置であって、
自己が存在する位置を表す自己位置の情報及びその進行方向である方位情報を取得する位置方位情報取得手段と、
前記自己位置からその進行方向上に単一の目標位置を設定し、前記目標位置を中心として東西南北の４方向に前記自己位置と目標位置間の距離以上の等距離にある経線及び緯線で囲まれる範囲を抽出範囲として設定する抽出範囲設定手段と、
前記データ放送から受信される情報に含まれる位置情報が前記抽出範囲内にあるとき、その受信情報を抽出する情報抽出手段とを有することにより、進行方向の前方に対して必要とされる情報だけを抽出して進行方向の後方に対して不要な情報を削除でき、処理の負荷を低減することができる。
【００１５】
請求項５に記載の発明は、データ放送から受信される位置情報を含む情報をフィルタリングし必要な情報だけを抽出して表示する受信装置であって、
自己が存在する位置を表す自己位置の情報及びその進行方向である方位情報を取得する位置方位情報取得手段と、
前記自己位置からその進行方向上に複数の目標位置を設定し、前記複数の目標位置それぞれを中心として東西南北の４方向に前記自己位置とこれに隣接する目標位置間の距離以上の等距離にある経線及び緯線で囲まれる範囲を抽出範囲として設定する抽出範囲設定手段と、
前記データ放送から受信される情報に含まれる位置情報が前記抽出範囲内にあるとき、その受信情報を抽出する情報抽出手段とを有することにより、進行方向の前方に対して必要とされる情報だけを抽出して進行方向の後方に対して不要な情報を削除でき、処理の負荷を低減することができると共に、フィルタリングの精度を向上できる。
【００１６】
【発明の実施の形態】
図１は、本発明の情報フィルタリング装置の一実施例のブロック構成図を示す。同図中、放送衛星２０または地上基地２２からのデジタル放送において、商店やレストラン等の緯度経度及びその概要と写真と地図等の情報がデータ放送として放送されている。上記の位置情報が含まれる情報は、例えばＸＭＬ（ｅＸｔｅｎｓｉｂｌ  Ｍａｒｋｕｐ  Ｌａｎｇｕａｇｅ）で符号化されている。また、ＧＰＳ衛星２４からはＧＰＳデータが送信されている。
【００１７】
受信装置３０では、上記データ放送をアンテナ３２で受信し、この受信信号はフロントエンド部３４で同調及び復調されてトランスストリーム処理バッファ部３６に供給され、ここでトランスポートストリーム（ＴＳ）とされて出力され、デコード部３８内の蓄積用メモリ４０を経て、映像・音声・字幕デコード処理部４２及びデータ放送デコード処理部４４に供給されてそれぞれ処理される。
【００１８】
また、ＧＰＳ部４６は、複数のＧＰＳ衛星からのＧＰＳデータを受信して自己位置の緯度経度情報を取得する。また、方位センサ４８は自己の進行方向である方位情報を取得する。この緯度経度情報及び方位情報は、メモリ５０を介して位置方位情報処理部５２に供給されて処理される。
【００１９】
デコード部３８内のデータ放送デコード処理部４４でトランスポートストリームからデコードされたデータ放送情報はデータ放送表示処理部５４に供給される。データ放送表示処理部５４は、ＡＰＩ（Ａｐｐｌｉｃａｔｉｏｎ  Ｐｒｏｇｒａｍｍｉｎｇ  Ｉｎｔｅｒｆａｃｅ５６）と、ＸＭＬ文書とＢＭＬ（Ｂｒｏａｄｃａｓｔｉｎｇ  Ｍａｒｋｕｐ  Ｌａｎｇｕａｇｅ）文書を参照して表示できるＢＭＬブラウザ５８を有している。上記データ放送情報はＢＭＬブラウザ５８で処理されたのち合成部６０に供給され、ここで、映像・音声・字幕デコード処理部４２からの映像・音声・字幕と合成され、表示部６２内のモニタ６４に表示される。
【００２０】
モニタ６４にデータ放送画面を表示している際に、リモートコントローラ等のユーザ入力部６６から、あるフィルタリング（検索）処理のコマンドが入力されると、ユーザからのコマンドを受けたデータ放送表示処理部５４は、位置方位情報処理部５２から自己位置の情報と方位情報を取り出す。なお、方位情報は、位置情報の軌跡情報から抽出することも可能である。また、軌跡情報をＢＭＬブラウザ５８側で処理して方位を抽出してもよい。
【００２１】
ＢＭＬブラウザ５８では、自己位置の情報と方位情報をもとに、ＡＰＩ５６を介しデータ放送デコード処理部４４の位置情報を含むＸＭＬ文書から、自己位置と自己の進行方向を考慮した情報を抽出するフィルタリングを行う。フィルタリングされた情報は、必要に応じてＢＭＬブラウザ５８内でソート処理され表示部６２に表示される。
【００２２】
なお、上記フィルタリング処理は、デコード部３８の処理において、ＢＭＬブラウザ５８に取り込んだ自己位置の情報、方位情報をもとに、ＢＭＬ文書中のＥＣＭＡＳｃｒｉｐｔからＤＯＭ（Ｄｏｃｕｍｅｎｔ  Ｏｂｊｅｃｔ  Ｍｏｄｅｌ）のＡＰＩ５６を通して、データ放送デコード処理部４４のＸＭＬ文書中の情報を操作し、フィルタリングする方法である。
【００２３】
この他に、図２に示すデコード部６８のように、位置方位情報処理部５２の出力情報を、放送として送られてきたフィルタリング処理記述のあるＸＳＬＴ（ｅＸｔｅｎｓｉｂｌｅ  Ｓｔｙｌｅｓｈｅｅｔ  Ｌａｎｇｕａｇｅ  Ｔｒａｎｓｆｏｒｍａｔｉｏｎ）ファイルにＡＰＩ７０を通じて取り込み、取り込んだ情報をもとに、放送された位置情報込みのＸＭＬ文書を、ＸＳＬＴプロセッサ７２でＢＭＬ文書に変換し、ＢＭＬブラウザ５８にフィルタリング結果を表示させる方法がある。
【００２４】
次に、自己位置と進行方向を考慮したフィルタリング方法について説明する。自己位置をＡ（ｘ，ｙ）とし、データ放送で送られてくる情報の位置情報をＺｎ（αｎ，βｎ）［ｎは整数］とする。この送られてくる情報は複数であり、それに合せて位置情報も複数ある。例えば１００件のレストランの情報が、ＸＭＬ文書（位置情報と店情報）と、ＪＰＥＧ（Ｊｏｉｎｔ  ＰｈｏｔｏｇｒａｐｈｉｃＥｘｐｅｒｔｓ  Ｇｒｏｕｐ）画像のセットで送られてくる。また、自己位置と送られてくる各情報の位置との距離をそれぞれＬｎとする。また、進行方向は、移動した緯度経度を蓄積したものから算出したもの、もしくは、方位センサから取得した方位情報である。また、以下のフィルタリング計算においては、簡易的に２点問の距離を求めているが、厳密な距離の計算においては、地球の曲率を考慮した計算を行っても良い。
【００２５】
図３は、フィルタリング処理の第１実施例の説明図を示す。この実施例では、自己位置と進行方向上に設定した任意の目標位置とを焦点とする楕円を抽出範囲として楕円内に位置する情報をフィルタリングで抽出するものである。これにより、進行方向周辺の情報のみを効率的にフィルタリングが可能となる。また、パラメータの設定により情報のフィルタリング量を可変可能である。
【００２６】
まず、取得した進行方向と自己位置から目標位置Ｂ（Ｘ，Ｙ）を計算する。この目標位置は進行方向上にあるものとし、自分が情報を抽出したい範囲によって任意に設定するものとする。この目標位置Ｂが遠いほど情報をフィルタリングで抽出する範囲も広くなる。
【００２７】
データ放送で送られてくる各情報の位置Ｚｎ（αｎ，βｎ）と、自己位置Ａ（ｘ，ｙ）との距離をＬａｎとし、各情報の位置Ｚｎ（αｎ，βｎ）と目標位置Ｂ（Ｘ，Ｙ）との距離をＬｂｎとし、Ｌａｎ＋Ｌｂｎ＝Ｌｎを下記の演算により算出する。ただし、ｎは整数である。
【００２８】
0004243439.tif 000002
次に、距離Ｌを任意に設定する。この距離Ｌは自己位置から目標位置までの距離＋α程度の距離を設定し、この距離Ｌが大きいほど情報の抽出範囲が大きくなる。送られてくる情報全てに対して自己位置と目標位置までの距離の和Ｌｎを計算し、Ｌｎ≦Ｌとなる情報をフィルタリング（抽出）する。このフィルタリングされた情報が表示部６２に表示される。
【００２９】
もしくは、データ放送で送られてくる情報全てに対して自己位置と目標位置までのそれぞれの距離の和Ｌｎを計算し、各距離の和Ｌｎをソートすることにより、自己位置と目標位置を焦点とする楕円内で、距離の和Ｌｎが小さい順に所定数の情報をフィルタリング（抽出）して表示部６２に表示する。
【００３０】
図４は、フィルタリング処理の第２実施例の説明図を示す。この第２実施例は、先の第１実施例よりフィルタリングの精度は劣るが、受信装置３０での処理の負荷を低減させることができる。進行方向上にある任意の目標位置を設定し、目標位置を中心とする円内（自己位置を含む）の情報をフィルタリングするものである。これにより、進行方向周辺の情報のみを効率的にフィルタリングが可能となる。また、円の半径等のパラメータを適宜設定することにより、フィルタリングで抽出される情報の数を可変できる。
【００３１】
まず、取得した進行方向と自己位置から目標位置Ｂ（Ｘ，Ｙ）を計算する。この目標位置は進行方向上にあるものとし、自分が情報を抽出したい範囲に応じて任意に設定するものとする。この目標点が自己位置から遠いほど情報の抽出範囲も広くなる。
【００３２】
自己位置Ａ（ｘ．ｙ）と目標位置Ｂ（Ｘ，Ｙ）との距離をＬａｂとする。データ放送で送られてくる情報の位置Ｚｎ（αｎ，βｎ）と、目標位置Ｂ（Ｘ，Ｙ）との距離をＬｎを下記の演算により算出する。ただし、ｎは整数である。
【００３３】
Ｌ１＝［（Ｘ−α１）２＋（Ｙ−β１）２］１／２
Ｌ２＝［（Ｘ−α２）２＋（Ｙ−β２）２］１／２
…    …    …    …    …    …    …
Ｌｎ＝［（Ｘ−αｎ）２＋（Ｙ−βｎ）２］１／２
目標位置からの距離Ｌを任意に設定する。この距離Ｌは、Ｌ≧Ｌａｂとなる値とする。この距離Ｌが大きいほど情報の抽出範囲が大きくなる。送られてくる情報全てに対して目標位置までの距離Ｌｎを計算し、Ｌｎ≦Ｌとなる情報をフィルタリングし、表示部６２に表示する。
【００３４】
もしくは、データ放送で送られてくる全ての情報に対して目標位置までの距離Ｌｎを計算し、各距離Ｌｎをソートすることにより、目標位置を中心とする円内で距離Ｌｎが小さい順に所定数の情報をフィルタリングして、表示部６２に表示する。
【００３５】
図５は、フィルタリング処理の第３実施例の説明図を示す。この第３実施例は、先の第２実施例のフィルタリングの精度を向上させた方法である。進行方向上にある任意の目標位置を中心とする円内の情報をフィルタリングする。ただし、進行方向に沿って目標位置を複数個設け、情報の抽出範囲となる目標位置からの距離Ｌを第２実施例より小さくする。複数の目標位置それぞれから距離Ｌとなる範囲をフィルタリングし、最後にすべてのフィルタリング結果について抽出した情報が重複しないよう和をとることにより、進行方向に沿った精度の高いフィルタリングが可能となる。
【００３６】
まず、取得した進行方向と自己位置から目標位置Ｂ１（Ｘ１，Ｙ１）を計算する。この自標位置は進行方向上にあるものとし、自分が情報を抽出したい範囲によって任意に設定するものとする。この目標位置が自己位置から遠くにあるほど情報の抽出範囲も広くなる。自己位置Ａ（ｘ．ｙ）と目標位置Ｂ１（Ｘ１，Ｙ１）との距離をＬａｂ１とする。フィルタリング範囲となる目標位置からの距離Ｌは、Ｌ≧Ｌａｂ１となる必要があるが、フィルタリングの精度を向上するためにＬは必要以上に大きな距離とはしない。
【００３７】
同様に目標位置Ｂ２（Ｘ２，Ｙ２），…，Ｂｎ（Ｘｎ，Ｙｎ）を設定する。なお、隣接する目標位置間の距離、例えば目標位置Ｂ１と目標位置Ｂ２の距離Ｌｂ１ｂ２は、フィルタリングの精度を考え、Ｌ＜Ｌｂ１ｂ２＜２Ｌとなる値に設定する。
【００３８】
目標位置Ｂ１（Ｘ１，Ｙ１）…Ｂｎ（Ｘｎ，Ｙｎ）それぞれについて、データ放送で送られてくる情報の位置Ｚｎ（αｎ，βｎ）との距離Ｌｎを下記の演算により算出する。ただし、ｎは整数である。
【００３９】
Ｌ１＝［（Ｘ−α１）２＋（Ｙ−β１）２］１／２
Ｌ２＝［（Ｘ−α２）２＋（Ｙ−β２）２］１／２
…    …    …    …    …    …    …
Ｌｎ＝［（Ｘ−αｎ）２＋（Ｙ−βｎ）２］１／２
次に、送られてくる全ての情報の位置と、目標位置までの距離Ｌｎを計算し、Ｌｎ≦Ｌとなる情報をフィルタリングし、それぞれの目標位置での結果と重複しないよう和をとり、最終的なフィルタリング結果を表示部６２に表示する。
【００４０】
もしくは、送られてくる全ての情報の位置と、各目標位置までの距離Ｌｎを計算してソートし、各目標位置を中心とする円内で距離Ｌｎが小さい順に所定数の情報をフィルタリングする。そして、全ての目標位置でのフィルタリング結果について情報が重複しないよう和をとり、最終的なフィルタリング詰果を表示部６２に表示する。
【００４１】
図６は、フィルタリング処理の第４実施例の説明図を示す。この第４実施例は、先の第２実施例より、さらに受信装置３０の処理を軽減させることができる方法である。進行方向上にある任意の目標位置を設定し、目標位置を中心として東西南北の４方向に任意の距離ｄだけ離れた４点を取り、その４点を通る経線及び緯線で囲まれる範囲を抽出範囲としてフィルタリングを行う。
【００４２】
まず、取得した進行方向と自己位置から目標位置Ｂ（Ｘ，Ｙ）を計算する。この目標位置は進行方向上にあるものとし、自分が情報を抽出したい範囲に応じて任意に設定するものとする。この目標点が自己位置から遠いほど情報の抽出範囲も広くなる。
【００４３】
自己位置Ａ（ｘ．ｙ）と目標位置Ｂ（Ｘ，Ｙ）との距離をＬａｂとする。目標位置Ｂから東西南北の４方向にそれぞれ等しい距離ｄの４地点Ｃ（Ｘｃ，Ｙｃ）、Ｄ（Ｘｄ，Ｙｄ）、Ｅ（Ｘｅ，Ｙｅ）、Ｆ（Ｘｆ，Ｙｆ）を設定する。なお、距離をｄとした場合、目標位置Ｂの緯度経度からＣ，Ｄ，Ｅ，Ｆの緯度経度は計算可能である。また、目標位置Ｂから東西南北の４方向に等しい距離にあるので、Ｙｃ＝Ｙｄ，Ｘｅ＝Ｘｆとなる。ここでは、距離ｄが大きいほど情報の抽出範囲が大きくなる。ここでは、ｄ≧Ｌａｂとする。
【００４４】
目標位置Ｂから設定した距離ｄにある位置Ｃ，Ｄ，Ｅ，Ｆ点に囲まれる正方形の範囲について、データ放送で送られてくる情報をフィルタリングする。データ放送で送られてくる複数の情報Ｚｎ（αｎ，βｎ）とすると、フィルタリングされる情報は下記の範囲である。
【００４５】
Ｘｄ≦αｎ≦Ｘｃ  かつ  Ｙｅ≦βｎ≦Ｙｆ
このようにしてフィルタリングされた結果を表示部６２に表示する。
【００４６】
図７は、フィルタリング処理の第５実施例の説明図を示す。この第５実施例は、先の第４実施例のフィルタリングの精度を向上させた方法である。進行方向上にある任意の目標位置を中心に距離ｄだけ離れた４点を取り、その４点を通る経線及び緯線で囲まれる範囲を抽出範囲としてフィルタリングを行う。ただし、情報のフィルタリング範囲となる目標位置からの距離ｄを第４実施例より小さくする。そして、進行方向に沿って目標位置を複数個設け、それぞれ距離ｄとなる範囲をフィルタリングする。最後にすべてのフィルタリング結果について情報が重複しないよう和をとることにより、進行方向に沿った精度の高いフィルタリングが可能となる。
【００４７】
まず、取得した進行方向と自己位置から目標位置Ｂ１（Ｘ１，Ｙ１）を計算する。この目標位置は進行方向上にあるものとし、自分が情報を抽出したい範囲によって任意に設定するものとする。この目標点が遠いほど情報の抽出範囲も広くなる。自己位置Ａ（ｘ．ｙ）と目標位置Ｂ１（Ｘ１，Ｙ１）との距離をＬａｂ１とする。フィルタリング範囲となる目標位置からの距離ｄは、ｄ≧Ｌａｂ１となる必要があるが、フィルタリングの精度を向上するためにｄは必要以上に大きな距離とはしない。
【００４８】
同様に目標位置Ｂ２（Ｘ２，Ｙ２），…，Ｂｎ（Ｘｎ，Ｙｎ）を設定する。なお、隣接する目標位置間の距離、例えば目標位置Ｂ１と目標位置Ｂ２の距離Ｌｂ１ｂ２は、フィルタリングの精度を考え、ｄ＜Ｌｂ１ｂ２＜２ｄとなる値に設定する。
【００４９】
目標位置Ｂ１に対し、Ｂから東西南北の４方向にそれぞれ等しい距離ｄの４地点Ｃ１（Ｘｃ１，Ｙｃ１）、Ｄ１（Ｘｄ１，Ｙｄ１）、Ｅ１（Ｘｅ１，Ｙｅ１）、Ｆ１（Ｘｆ１，Ｙｆ１）を設定する。なお、距離をｄとした場合、目標位置Ｂ１の緯度経度からＣ１，Ｄ１，Ｅ１，Ｆ１の緯度経度は計算可能である。また、目標位置Ｂ１から東西南北の４方向に等しい距離にあるので、Ｙｃ１＝Ｙｄ１，Ｘｅ１＝Ｘｆ１となる。
【００５０】
目標位置Ｂ１から設定した距離ｄにある位置Ｃ１，Ｄ１，Ｅ１，Ｆ１点に囲まれる正方形の範囲について、データ放送で送られてくる情報をフィルタリングする。データ放送で送られてくる複数の情報Ｚｎ（αｎ，βｎ）とすると、フィルタリングされる情報は下記の範囲である。
【００５１】
Ｘｄ１≦αｎ≦Ｘｃ１  かつ  Ｙｅ１≦βｎ≦Ｙｆ１
目標位置Ｂ２についても距離ｄ離れたＣ２，Ｄ２，Ｅ２，Ｆ２を設定し、同様にＸｄ２≦αｎ≦Ｘｃ２  かつ  Ｙｅ２≦βｎ≦Ｙｆ２となる情報をフィルタリングする。更に、目標位置Ｂｎについても同様に情報をフィルタリングし、目標位置Ｂ１からＢｎまでのフィルタリング結果について情報が重複しないよう和をとり、最終的なフィルタリング結果を表示部６２に表示する。
【００５２】
このように、自己の位置情報と進行方向（方位情報）から、最も必要な情報のみフィルタリングして受信装置に表示することができる。これにより、ユーザは、放送として送られてくる様々な最新の情報（位置情報込み）を、自分の位置と進行方向から、効率的に必要な情報を取得することができるようになり、位置情報をもたないデータ放送サービスや、カーナビ等の情報に比べて、ユーザの利便性が格段に向上することになる。
【００５３】
なお、位置方位情報処理部５２が請求項記載の位置方位情報取得手段に対応し、データ放送表示処理部５４が抽出範囲設定手段及び情報抽出手段に対応する。
【００５６】
【発明の効果】
請求項１に記載の発明によれば、進行方向の前方に対して必要とされる情報だけを抽出して進行方向の後方に対して不要な情報を削除できる。
【００５７】
請求項２に記載の発明によれば、進行方向の前方に対して必要とされる情報だけを抽出して進行方向の後方に対して不要な情報を削除でき、処理の負荷を低減することができる。
【００５８】
請求項３に記載の発明によれば、進行方向の前方に対して必要とされる情報だけを抽出して進行方向の後方に対して不要な情報を削除でき、処理の負荷を低減することができると共に、フィルタリングの精度を向上できる。
【００５９】
請求項４に記載の発明によれば、進行方向の前方に対して必要とされる情報だけを抽出して進行方向の後方に対して不要な情報を削除でき、処理の負荷を低減することができる。
【００６０】
請求項５に記載の発明によれば、進行方向の前方に対して必要とされる情報だけを抽出して進行方向の後方に対して不要な情報を削除でき、処理の負荷を低減することができると共に、フィルタリングの精度を向上できる。
【図面の簡単な説明】
【図１】本発明の情報フィルタリング装置の一実施例のブロック構成図である。
【図２】デコード部の変形例のブロック構成図である。
【図３】フィルタリング処理の第１実施例の説明図である。
【図４】フィルタリング処理の第２実施例の説明図である。
【図５】フィルタリング処理の第３実施例の説明図である。
【図６】フィルタリング処理の第４実施例の説明図である。
【図７】フィルタリング処理の第５実施例の説明図である。
【図８】データ放送サービスの一例の概念図である。
【符号の説明】
２０  放送衛星
２２  地上基地
２４  ＧＰＳ衛星
３０  受信装置
３２  アンテナ
３４  フロントエンド部
３６  トランスストリーム処理バッファ部
３８  デコード部
４０，５０    メモリ
４２  映像・音声・字幕デコード処理部
４４  データ放送デコード処理部
４６  ＧＰＳ部
４８  方位センサ
５２  位置方位情報処理部
５４  データ放送表示処理部
５６，７０  ＡＰＩ
５８  ＢＭＬブラウザ
６０  合成部
６２  表示部
６４  モニタ
６６  ユーザ入力部
７２  ＸＳＬＴプロセッサ
【図１】
0004243439.tif 000003
【図２】
0004243439.tif 000004
【図３】
0004243439.tif 000005
【図４】
0004243439.tif 000006
【図５】
0004243439.tif 000007
【図６】
0004243439.tif 000008
【図７】
0004243439.tif 000009
【図８】
0004243439.tif 000010